(57)【要約】  ドットパターンを読み取るだけで簡単に情報を表示させることができ、情報のアップデートが簡単であり、かつ従来よりもドットパターンをさらに視覚困難とした情報表示システム及びそれに用いられるドットパターン印刷物を提供する。  座標位置コード情報を有するドットパターンが視覚困難かつ光学読み取り可能に被印刷体にグラビア印刷されてなるドットパターン印刷物と、光学的読み取り手段と、前記光学的読み取り手段によって読み取られた前記座標位置コード情報をサーバー装置へと転送するための情報転送手段と、前記座標位置コード情報に応じて、予め関連付けられて蓄積されている関連付け情報を出力するサーバー装置と、前記サーバー装置からの情報を表示するための情報表示手段と、を含み、前記ドットパターン印刷物が、Ｃ,  Ｍ,  Ｙのインクによる黒色印刷層の上にカーボンブラックインクを用いてドットパターンをグラビア印刷してなるようにした。
2012133528.tif 000002
【特許請求の範囲】
【請求項１】
座標位置コード情報を有するドットパターンが視覚困難かつ光学読み取り可能に被印刷体にグラビア印刷されてなるドットパターン印刷物と、前記座標位置コード情報を光学的に読み取るための光学的読み取り手段と、前記光学的読み取り手段によって読み取られた前記座標位置コード情報をサーバー装置へと転送するための情報転送手段と、前記座標位置コード情報に応じて、予め関連付けられて蓄積されている関連付け情報を出力するサーバー装置と、前記サーバー装置からの情報を表示するための情報表示手段と、を含み、前記ドットパターン印刷物が、Ｃ,  Ｍ,  Ｙのインクによる黒色印刷層の上にカーボンブラックインクを用いてドットパターンをグラビア印刷してなることを特徴とする情報表示システム。
【請求項２】
前記ドットパターン印刷物が、外側シートと、前記外側シートの裏面にグラビア印刷により印刷された黒色印刷層と、前記黒色印刷層にグラビア印刷されたドットパターンと、前記ドットパターンに白インクでグラビア印刷された白インク層と、前記白インク層に設けられた内側シートと、を含み、前記ドットパターンが前記外側シートの表面側から前記光学的読み取り手段で前記外側シートを介して読み取られるように、ドットパターンの座標系が前記外側シートの表面側から見た座標系に対して反転して印刷されてなることを特徴とする請求項１記載の情報表示システム。
【請求項３】
前記グラビア印刷に用いられるグラビア版が、レーザー製版法により作製されることを特徴とする請求項１又は２記載の情報表示システム。
【請求項４】
前記被印刷体が、透明かつフレキシブルなシートであることを特徴とする請求項１〜３いずれか１項記載の情報表示システム。
【請求項５】
前記ドットパターン印刷物が食品を包装するための食品包装フィルムであり、食品の産地情報を前記サーバー装置に予め関連付けて蓄積することにより、食品の産地情報が前記情報表示手段で表示されるようにしたことを特徴とする請求項１〜４いずれか1項記載の情報表示システム。
【請求項６】
請求項１〜５いずれか1項記載の情報表示システムに用いられるドットパターン印刷物であって、前記ドットパターン印刷物が、Ｃ,  Ｍ,  Ｙのインクによりグラビア印刷された黒色印刷面の上にカーボンブラックインクを用いてドットパターンをグラビア印刷してなることを特徴とするドットパターン印刷物。
【発明の詳細な説明】
【技術分野】
【０００１】
本発明は、動画などのマルチメディア情報に係る情報データを光学的に読み取り可能なドットパターンで印刷してなる情報表示システム及びそれに用いられるドットパターン印刷物に関する。【０００２】
従来、情報データを含む光学的に読み取り可能なコードを印刷し、これを光学的に読み取ることで、情報を表示させたりすることがよく行われている。【０００３】
これら光学的に読み取り可能なコードの種類として、商品の値札につけておき、精算時に赤外線スキャナーで値段などの情報を読み取る一次元コード(バーコード)を用いた情報表示システムがある。【０００４】
また、特定のURL(Uniform Resource Locator)情報を含むマトリックス型の二次元コードを印刷しておき、コード読み取り機能のある携帯電話のカメラなどで読み取り、インターネットを通じてリンク先のURLへと誘導する情報表示システムもある。【０００５】
さらに、種々のマルチメディア情報を認識させるためにドットコード生成アルゴリズムにより生成されたドットを所定の規則に則って配列したドットパターン部が形成された印刷物等の媒体を読取り手段で画像データとして読み取り、該画像データをコードデータ化し、該コードデータに対応したマルチメディア情報を記憶手段から読み出して再生するようにした、媒体上に形成されたアイコン(特許文献１、要約書)も提案されている。 また、特許文献２〜５に係る技術も提案されている。
【先行技術文献】
【特許文献】
【０００６】
【特許文献１】特開2006-190270号公報
【特許文献２】特許4088936号公報
【特許文献３】特許3706385号公報
【特許文献４】特許4008952号公報
【特許文献５】WO 2010/018687号公報
【発明の概要】
【発明が解決しようとする課題】
【０００７】
本願発明者は、鋭意検討を重ねた結果、ドットパターンがさらに視覚困難となるように印刷できることを見出し、本発明を完成させた。【０００８】
本発明は、ドットパターンを読み取るだけで簡単に情報を表示させることができ、情報のアップデートが簡単であり、かつ従来よりもドットパターンをさらに視覚困難とした情報表示システム及びそれに用いられるドットパターン印刷物を提供することを目的とする。
【課題を解決するための手段】
【０００９】
上記課題を解決するため、本発明の情報表示システムは、座標位置コード情報を有するドットパターンが視覚困難かつ光学読み取り可能に被印刷体にグラビア印刷されてなるドットパターン印刷物と、前記座標位置コード情報を光学的に読み取るための光学的読み取り手段と、前記光学的読み取り手段によって読み取られた前記座標位置コード情報をサーバー装置へと転送するための情報転送手段と、前記座標位置コード情報に応じて、予め関連付けられて蓄積されている関連付け情報を出力するサーバー装置と、前記サーバー装置からの情報を表示するための情報表示手段と、を含み、前記ドットパターン印刷物が、Ｃ,  Ｍ,  Ｙのインクによる黒色印刷層の上にカーボンブラックインクを用いてドットパターンをグラビア印刷してなることを特徴とする。【００１０】
Ｃ（シアン）,  Ｍ（マゼンタ）,  Ｙ（イエロー）のインクを混ぜると黒色となるが、このように、Ｃ（シアン）,  Ｍ（マゼンタ）,  Ｙ（イエロー）のインクによって黒色に印刷した黒色印刷層の上にカーボンブラックインクを用いてドットパターンをグラビア印刷することで、ドットパターンが従来よりもさらに視覚困難となる。【００１１】
前記黒色印刷層は、Ｃ（シアン）のインクの層，Ｍ（マゼンタ）のインクの層,  Ｙ（イエロー）のインクの層からなる３層のインク層でグラビア印刷することで、黒色印刷層を印刷することができる。また、Ｃ（シアン）のインク,  Ｍ（マゼンタ）のインク,  Ｙ（イエロー）のインクを混ぜたインクでグラビア印刷することで、黒色印刷層を印刷するようにすることもできる。【００１２】
座標位置コード情報を有するドットパターンを視覚困難かつ光学読み取り可能にグラビア印刷するには、特許文献3に記載されたドットパターンを用いればよい。また、赤外線のみを吸収するカーボンブラックインクを用いて微小なドットパターンをグラビア印刷することで、人間には視覚困難かつ光学読み取り可能なドットパターンとなる。【００１３】
このように、視覚困難かつ光学読み取り可能にドットパターンをグラビア印刷することで、人間には目視できないため、印刷面には必要な文字や絵などのみを印刷することができるという利点がある。【００１４】
前記被印刷体が、薄いプラスチックフィルムをもちいた軟包装材のような透明かつフレキシブルなシートが好ましい。【００１５】
前記ドットパターンとしては、微小なドットの形成位置情報を最小単位のコードとしてこれを所定数組み合わせたものとして、特許文献３に記載されたドットパターン技術を適用することができる。グラビア印刷によりドットパターンを印刷することにより、高精細であり、フレキシブルな透明フィルムなどにも印刷することができるという利点がある。【００１６】
また、光学的読み取り手段としては、赤外線に反応する光学的読み取り手段を使用することができ、特許文献４に記載されたドットパターン読取ユニットを使用することができる。【００１７】
また、前記ドットパターン印刷物が、外側シートと、前記外側シートの裏面にグラビア印刷により印刷された黒色印刷層と、前記黒色印刷層にグラビア印刷されたドットパターンと、前記ドットパターンに白インクでグラビア印刷された白インク層と、前記白インク層に設けられた内側シートと、を含み、前記ドットパターンが前記外側シートの表面側から前記光学的読み取り手段で前記外側シートを介して読み取られるように、ドットパターンの座標系が前記外側シートの表面側から見た座標系に対して反転して印刷されてなるのが好ましい。【００１８】
前記グラビア印刷に用いられるグラビア版としては、レーザー製版法により作製するのが好ましい。高精細な微小ドットパターンを印刷できるからである。【００１９】
さらに、前記ドットパターン印刷物が食品を包装するための食品包装フィルムであり、食品の産地情報を前記サーバー装置に予関連付けて蓄積することにより、食品の産地情報が前記情報表示手段で表示されるようにすることもできる。【００２０】
さらに、本発明のドットパターン印刷物は、前記情報表示システムに用いられるドットパターン印刷物であって、前記ドットパターン印刷物が、Ｃ,  Ｍ,  Ｙのインクによりグラビア印刷された黒色印刷層の上にカーボンブラックインクを用いてドットパターンをグラビア印刷してなることを特徴とする。【００２１】
本発明によれば、ドットパターンを読み取るだけで簡単に情報を表示させることができ、情報のアップデートが簡単であり、かつ従来よりもドットパターンをさらに視覚困難とした情報表示システム及びそれに用いられるドットパターン印刷物を提供することができるという著大な効果を奏する。
【図面の簡単な説明】
【００２２】
【図１】本発明のドットパターン印刷物の一例を示す。
【図２】本発明の情報表示システムの構成を示すブロック図である。
【図３】本発明の情報表示システムの流れを示すフローチャートである。
【図４】本発明の情報表示システムを食品の産地情報表示に適用したフローチャートである。
【図５】本発明の一つの実施の形態を示す模式図である。
【発明を実施するための形態】
【００２３】
以下に本発明の実施の形態を説明するが、これら実施の形態は例示的に示されるもので、本発明の技術思想から逸脱しない限り種々の変形が可能なことはいうまでもない。
【００２４】
図１において、符号１０はドットパターン印刷物である。前記ドットパターン印刷物１０は、被印刷体である透明かつフレキシブルなシートの上に、Ｃ（シアン）,  Ｍ（マゼンタ）,  Ｙ（イエロー）のインクによる黒色印刷層１２の上にドットパターン１４がグラビア印刷されている。ドットパターン１４の印刷にあたっては、特許文献５に記載されたように、被印刷体の裏面に反転印刷してもよいし、被印刷体の表面に通常印刷してもよい。
【００２５】
ドットパターン１４は、カーボンブラックインクを用いて視覚困難かつ光学読み取り可能に被印刷体である透明かつフレキシブルなシートに印刷されており、座標位置コード情報を有している。図示例では、図５によく示される如く、ドットパターン印刷物１０が、外側シート３４と、前記外側シート３４の裏面にグラビア印刷により印刷された黒色印刷層１２と、前記黒色印刷層１２にグラビア印刷されたドットパターン１４と、前記ドットパターン１４に白インクでグラビア印刷された白インク層３６と、前記白インク層３６に設けられた内側シート３８と、を含み、前記ドットパターン１４が前記黒色印刷層にグラビア印刷により印刷され、前記ドットパターン１４が前記外側シート３４の表面４２側から前記光学的読み取り手段２４で前記外側シート３４を介して読み取られるように、ドットパターン１４の座標系が前記外側シート３４の表面側から見た座標系に対して反転して印刷されている。
【００２６】
すなわち、図１（ａ）に示す表面側のドットパターン１４の座標系と、図１（ｂ）に示す裏面側のドットパターン１４の座標系が鏡像関係となるように、ドットパターン１４の座標系が前記外側シート３４の表面側から見た座標系に対して反転して裏面４４側に印刷されている。
【００２７】
座標位置コード情報を有するドットパターン１４としては、微小なドットの形成位置情報を最小単位のコードとしてこれを所定数組み合わせたものとして、特許文献３に記載されたドットパターン技術を適用することができる。 
【００２８】
特許文献３に記載されたドットパターン技術としては、図１に示されるように、キードット１６、情報ドット１８、格子ドット２０を所定の規則に従って配列する。所定の規則については特許文献３に記載されているため詳細は省略する。特許文献３では、図１に示すように、キードット１６を中心に５×５の格子ドット２０を配置し、４点の格子ドット２０に囲まれた中心の仮想点の周囲に情報ドット１８を配置して、情報を表すドットパターン１４のブロックとしている。このブロックには任意の数値情報が定義される。そして、ドットパターン１４を特許文献５に示すような光学的読み取り手段で読み込み、格子ドットを抽出し、次に本来格子ドットがある位置にドットが打たれていないことによってキードット１６を抽出し、次に情報ドット１８を抽出することによりデジタル化して情報領域を抽出して情報の数値化を図り、その数値情報より、このドットパターン１４から情報及びプログラムを出力させる。なお、符号２２は、便宜上示した基準線である。これら基本的構成については、特許文献５に記載された構成を採用することができる。
【００２９】
また、前記ドットパターンの印刷がグラビア印刷によって行う。グラビア印刷ならば、高精細な印刷が可能であるからである。
【００３０】
また、グラビア印刷に用いるグラビア版は、特許文献５に記載されたように、レーザー製版法で作成した版が好ましい。
【００３１】
前記ドットパターン１４は、光学的読み取り手段によって光学的に読み取られる。光学的読み取り手段としては、特許文献４に記載されたドットパターン読取ユニットが適用できる。図示の例では、赤外線ＬＥＤを用いた特許文献４に記載のドットパターン読取ユニットを用いた。
【００３２】
本発明の情報表示システム３２は、図２に示すように、座標位置コード情報を有するドットパターン１４が視覚困難かつ光学読み取り可能にグラビア印刷されたドットパターン印刷物１０と、前記座標位置コード情報を光学的に読み取るための光学的読み取り手段２４と、前記光学的読み取り手段２４によって読み取られた前記座標位置コード情報をサーバー装置２６へと転送するための処理部２８(図示例では情報転送手段を含んでいる)と、前記座標位置コード情報に応じて、予め関連付けられて蓄積されている関連付け情報を出力するサーバー装置２６と、前記サーバー装置２６からの情報を表示するための情報表示手段である情報表示部３０と、を含み、前記ドットパターン印刷物１０が、Ｃ,  Ｍ,  Ｙのインクによる黒色印刷層１２の上にカーボンブラックインクを用いてドットパターン１４をグラビア印刷してなる。
【００３３】
図示例では、光学的読み取り手段２４は赤外線スキャナーであり、処理部２８はパーソナルコンピュータであり、情報表示部３０はＰＣ用ディスプレイ装置である。サーバー装置２６は、通信ネットワークであるインターネットに接続されている。サーバー装置２６は、WWWサーバソフトウエア(httpデーモンプログラム)が動作するサーバー装置であり、図示しないが、ハードディスク等の記憶媒体やモデム等のネットワーク通信機器その他の必要なハードウェアを備える。インターネットには、クライアント端末である処理部２８として、ノート型PC、デスクトップ型PC、携帯電話等が接続され、ウエブ閲覧機能(WWWブラウザ)により、サーバー装置２６とTCP/IPプロトコルの通信が可能とされている。なお、クライアント端末である処理部２８としては、ウエブ閲覧機能(WWWブラウザ)を備えるものであれば、メーカーや機種等は特に限定されない。なおまた、サーバー装置２６は1台に限られず、同様の機能を備えるものを複数台用意するようにしてもよい。また、光学的読み取り手段２４は、パーソナルコンピュータなどの処理部２８と、例えばUSB(Universal Serial Bus)コネクタにより接続して使用される。
【００３４】
次に、本発明に係る情報表示システム３２のフローチャートを図３に基づいて説明する。まず、Ｃ（シアン）,  Ｍ（マゼンタ）,  Ｙ（イエロー）のインクにより黒色印刷層１２を作成する(ステップ１０１)。その上にドットパターン１４をグラビア印刷して前記ドットパターン印刷物１０を作成する(ステップ１０２)。
【００３５】
次に、前記ドットパターン１４を光学的読み取り手段２４で光学的に読み取る(ステップ１０４)。
【００３６】
次に、前記ドットパターン１４の座標位置コード情報をサーバー装置２６に転送する(ステップ１０６)。
【００３７】
次に、サーバー装置２６は、前記座標位置コード情報に応じて、予め関連付けられて蓄積されている関連付け情報を出力する(ステップ１０８)。
【００３８】
次に、出力された関連付け情報を情報表示部３０（ディスプレイ装置）に表示する(ステップ１１０)。
【００３９】
このように関連付けられる情報としては種々考えられ、絵本、英会話、旅行の景色、料理のレシピ、食品の産地情報や製品カタログなど、紙媒体に動画や音声による説明を加えたいものであれば如何なるものでも適用できる。したがって、本発明の情報表示システムは、絵本、英会話、旅行の景色、料理のレシピ、食品の産地情報や製品カタログなど、紙媒体に動画や音声による説明を加えたいものであれば如何なるものにでも適用可能である。
【００４０】
本発明では、ドットパターンを読み取るだけで簡単に情報を表示させることができる。また、サーバー装置２６に蓄積しておくファイルに最新情報をアップデートしておけばよいので、アップデートが簡単である。また、従来よりもドットパターンがさらに視覚困難とされている。また、ドットパターン１４をグラビア印刷で印刷することで、高精細となり、また、透明フィルムのようなフレキシブルなシートであってもドットパターンが好適に印刷可能である。
【００４１】
（実施例１）
動画を作成し、動画ファイルとしてMPEG-4形式のファイルで社内のサーバー装置２６に保存した。動画の内容は、冷凍唐揚げチキンの宣伝、賞味期限及び調理方法を紹介した内容であり、約5分の長さであった。
【００４２】
光学的読み取り手段２４としては、グリッドマーク株式会社製のGスキャナーを使用した。光学的読み取り手段２４は、パーソナルコンピュータ２８にUSB接続した。なお、符号４０は赤外線を示す。
【００４３】
(株)シンク・ラボラトリー製のレーザーグラビア製版装置(商品名:全自動レーザーグラビア製版システムFX80)を用い、レーザー製版を行い、グラビアセルの深さが13μmで1辺が30μmの正方形としたグラビア製版ロールを作製した。このグラビア製版ロールを用い、印刷速度200m/minで中島精機エンジニアリング(株)製の印刷機(商品名:PROTEC)で、フィルム上にＣ（シアン）,  Ｍ（マゼンタ）,  Ｙ（イエロー）のインクにより黒色印刷層１２を作成した。その上に、カーボンブラックを含有させた黒色の赤外線吸収インクを用いてドットパターン１４を印刷し、ドットパターン印刷物10とした。ドットパターン１４としては、キードット、情報ドット、格子ドットとを所定の規則に従って配列した。印刷されたドットパターンのドットサイズは1辺が40μmの正方形であった。
【００４４】
前記パーソナルコンピュータ２８にはアプリケーションソフトウェアがインストールされており、前記アプリケーションソフトウェアによって前記ドットパターン１４の座標位置コード情報とサーバー装置２６内の動画ファイルとが関連づけられている。
【００４５】
そして、ドットパターン１４の印刷された前記フィルム(ドットパターン印刷物１０)に光学的読み取り手段２４を押し当てて前記ドットパターン１４を光学的に読み取った。パーソナルコンピュータ２８にインストールされたアプリケーションソフトウェアによって前記ドットパターン１４の座標位置コード情報に関連付けられた動画ファイルがパーソナルコンピュータ２８の情報表示部３０であるＰＣ用ディスプレイ装置上で再生された。
【００４６】
（実施例２）
次に、本発明の情報表示システムを食品の産地情報表示に適用した実施例を図４に基づいて説明する。
【００４７】
牛肉の産地情報表示に適用した例を示す。まず、牛肉の生産者が自分やその牛肉となった牛などを録画し、音声などを入力した産地情報を電子ファイル化してサーバー装置２６に蓄積した(ステップ２００)。
【００４８】
そして、ドットパターン印刷物１０であるフィルムで牛肉を包装した。フィルムとしては、実施例１と同様のものを用いた。フィルム上にＣ（シアン）,  Ｍ（マゼンタ）,  Ｙ（イエロー）のインクにより黒色印刷層１２を作成した（ステップ２０１）。その上に、ドットパターン１４を印刷し、ドットパターン印刷物１０とした。このとき、内容物表示に係る「牛肉」という文字の横にドットパターン１４をグラビア印刷により実施例１と同様の条件にして印刷した。数値で表現した座標位置コード情報に変換されるように、カーボンブラックを含有させた黒色の赤外線吸収インクを用いてドットパターンを印刷し、前記ドットパターン印刷シート１０を作成した(ステップ２０２)。
【００４９】
なお、一般的に、食品包装フィルムの場合には、最外側層である外側シートの裏面に着色層及び白インク層（下地層）を設け、さらに前記外側シートとは別の内側シートをラミネート加工するのがよく行われる。食品等に接触する最内側の層をラミネート加工しておくためである。
【００５０】
次に、前記ドットパターン１４を光学的読み取り手段２４である赤外線スキャナーを押し当てて光学的に読み取った(ステップ２０４)。この赤外線スキャナー２４はパーソナルコンピュータ２８(処理部)にUSB(Universal Serial Bus)接続されており、前記ドットパターン１４の座標位置コード情報はパーソナルコンピュータ２８にインストールされたアプリケーションソフトウェアによってサーバー装置２６にインターネット経由で直ちに転送された(ステップ２０６)。つまり、リンク先のサーバー装置２６へとジャンプした。
【００５１】
次に、サーバー装置２６は、前記座標位置コード情報に応じて、予め関連付けられて蓄積されている関連付け情報、つまり予め録画しておいた産地情報ファイルを出力した(ステップ２０８)。
【００５２】
次に、出力された関連付け情報を情報表示手段である情報表示部３０(ディスプレイ装置)に表示した(ステップ２１０)。このようにして、牛肉の生産者が自分やその牛肉となった牛などを録画し音声などを入力した情報が動画表示された。
【００５３】
このようにして、牛肉の生産者が自分やその牛肉となった牛などを録画し音声などを入力した情報が動画表示されるので、消費者は安心して購入することができる。
【００５４】
また、このように構成すれば、サーバー装置２６の産地情報ファイルを最新情報に逐次アップデートしておけば、ドットパターンを新たに印刷することなく、常に最新の情報が消費者に届くという利点もある。
【００５５】
また、グラビア印刷によりドットパターンを印刷することにより、高精細となり、また、透明フィルムのようなフレキシブルなシートであってもドットパターンが好適に印刷可能である。
【産業上の利用可能性】
【００５６】
本発明の情報表示システム及びドットパターン印刷物によれば、音や動画の出る絵本、英会話、旅行の景色、料理のレシピ、食品の産地情報や製品カタログなど、紙媒体に動画や音声による説明を加えたいものであれば如何なるものでも適用できる。また、ドットパターンを印刷しておくことで、紙幣や文書の偽造防止などにも適用することができるほか、自社で正当に製造されたことの証明にもなるため、正規品と偽造品の判別手段としても好適に使用できる。
【符号の説明】
【００５７】
１０:本発明のドットパターン印刷物、１２：黒色印刷層、１４：ドットパターン、１６：キードット、１８：情報ドット、２０：格子ドット、２２：基準線、２４：光学的読み取り手段、２６：サーバー装置、２８：処理部，パーソナルコンピュータ、３０：情報表示部（情報表示手段）、３２：本発明の情報表示システム、３４：外側シート、３６：白インク層、３８：内側シート、４０：赤外線、４２：表面、４４：裏面。
【図１】
2012133528.tif 000003
【図２】
2012133528.tif 000004
【図３】
2012133528.tif 000005
【図４】
2012133528.tif 000006
【図５】
2012133528.tif 000007
【国際調査報告】
2012133528.tif 000008
2012133528.tif 000009
2012133528.tif 000010